(57)【要約】【課題】  少ない部材数で簡単に計量して塗布面に塗布できるとともに、栓部材の塗布部を押当てた際に、塗布面への衝撃を和らげることができる計量塗布容器を提供すること。【解決手段】  容器本体と、栓部材と、栓部材の上部に上下動可能に装着される計量キャップと、オーバーキャップとからなる計量塗布容器において、栓部材は、基端部と弾性変形可能な付勢部材と塗布部とを具え、基端部は、上壁と外周壁と内周壁と案内筒とを具え、内周壁の下端部には、内外を貫く流通孔が配設され、案内筒の内周上部には、案内部が設けられ、塗布部は、栓体部を具え、栓体部の外周の上部に流路部が形成され、計量キャップは、基端部の案内筒内周で上下に摺動する外周壁と計量壁と吐出筒とを具え、外周壁は、内周に流路溝が設けられ、吐出筒の外周上端部には、係合突部が突設され、オーバーキャップの係合筒の内周下端には係合突部が突設されていることを特徴とする。【選択図】  図１
2015067347.tif 000002
【特許請求の範囲】
【請求項１】
内容液が充填される容器本体と、容器本体の口部に装着される栓部材と、栓部材の上部に上下動可能に装着され、内方に計量室と吐出口を形成する計量キャップと、オーバーキャップとからなる計量塗布容器において、
栓部材は、容器本体の口部に装着される基端部と、基端部の内側上部に弾性変形可能な付勢部材と、付勢部材の中央上部に立設される塗布部とを具え、
基端部は、上壁と、上壁の外縁に垂設される外周壁と、上壁の内縁に立設され、上端に付勢部材が連設される内周壁と、上壁の上面に立設される案内筒とを具え、
内周壁の下端部には、内周壁の内外を貫く流通孔が配設され、
案内筒の内周上部には、案内部が設けられ、
塗布部は、栓体部を具え、
栓体部の外周の上部に計量キャップの計量室内と吐出口を連通する流路部が形成され、
計量キャップは、外周が基端部の案内筒内周で上下に摺動する外周壁と、外周壁の内周に連設される連結壁と、連結壁内縁から立設され、計量壁と、計量壁の上端内縁に立設される吐出筒と、吐出筒内周下端に形成される栓壁とを具え、
外周壁は、外周に案内部内で上下動する案内突部が突設され、内周に流路溝が設けられ、
吐出筒の外周上端部には、係合突部が突設され、
オーバーキャップは、天壁と、外周壁と、天壁の下面に垂設される係合筒とを具え、
係合筒は、内周下端に、計量キャップの吐出筒の係合突部と嵌合する係合突部が突設されていることを特徴とする計量塗布容器。
【請求項２】
基端部の内周壁の外周下部には、位置決め部材が配設され、
計量キャップの外周壁の内周下部には、位置決め部材が当接する当接部が形成されていることを特徴とする請求項１記載の計量塗布容器。
【発明の詳細な説明】
【技術分野】
【０００１】
本発明は、計量塗布容器、とくに内容液の一回分の使用量を計量し、塗布面に塗布することができる計量塗布容器に関するものである。
【背景技術】
【０００２】
内容液を充填した容器本体に計量室を形成する計量部材と、計量部材内で上下動する栓部材により、計量室内で計量後、栓部材を塗布面に押当て、計量室の内容液だけを栓部材を介して使用し、塗布する計量塗布容器は、従来より知られている（例えば、特許文献１参照）。
【先行技術文献】
【特許文献】
【０００３】
【特許文献１】特開２００２−３３７９１０号公報
【発明の概要】
【発明が解決しようとする課題】
【０００４】
しかしながら、特許文献１記載の計量塗布容器では、容器本体と、キャップ（５６）と、計量室となる中栓（１８）と計量筒部材（３６）と、中栓（１８）内と計量筒部材（３６）の内方で上下動する栓部材となる弁部材（４０）とからなり、構造的に部材数が多くなるという問題があった。
【０００５】
また、塗布する際に、弁部材（４０）の先端を塗布面に押当てた後に、素早く押込まないと、中栓（１８）の開口が開いたまま、弁部材（４０）の先端からも液が吐出され、容器本体（１２）内の内容液が無駄に計量室内に流れ、計量室から外に出てしまうことがあり、正確な計量を行うことが難しかった。
そして、弁部材（４０）を素早く押込むために、押込みに力が入り、塗布面を傷つけるおそれがあるという問題があった。
【０００６】
本発明は、上記問題を解決することを課題として、少ない部材数で簡単に計量して塗布面に塗布することができるとともに、栓部材の塗布部を塗布する箇所に押当てた際に、塗布面への衝撃を和らげることができるようにした計量塗布容器を提供することを目的とする。
【課題を解決するための手段】
【０００７】
本発明は、上記の課題を解決するため、計量塗布容器として、内容液が充填される容器本体と、容器本体の口部に装着される栓部材と、栓部材の上部に上下動可能に装着され、内方に計量室と吐出口を形成する計量キャップと、オーバーキャップとからなる計量塗布容器において、栓部材は、容器本体の口部に装着される基端部と、基端部の内側上部に弾性変形可能な付勢部材と、付勢部材の中央上部に立設される塗布部とを具え、基端部は、上壁と、上壁の外縁に垂設される外周壁と、上壁の内縁に立設され、上端に付勢部材が連設される内周壁と、上壁の上面に立設される案内筒とを具え、内周壁の下端部には、内周壁の内外を貫く流通孔が配設され、案内筒の内周上部には、案内部が設けられ、塗布部は、栓体部を具え、栓体部の外周の上部に計量キャップの計量室内と吐出口を連通する流路部が形成され、計量キャップは、外周が基端部の案内筒内周で上下に摺動する外周壁と、外周壁の内周に連設される連結壁と、連結壁内縁から立設され、計量壁と、計量壁の上端内縁に立設される吐出筒と、吐出筒内周下端に形成される栓壁とを具え、外周壁は、外周に案内部内で上下動する案内突部が突設され、内周に流路溝が設けられ、吐出筒の外周上端部には、係合突部が突設され、オーバーキャップは、天壁と、外周壁と、天壁の下面に垂設される係合筒とを具え、係合筒は、内周下端に、計量キャップの吐出筒の係合突部と嵌合する係合突部が突設されていることを特徴とする構成を採用する。
【０００８】
栓部材と計量キャップの実施形態として、基端部の内周壁の外周下部には、位置決め部材が配設され、計量キャップの外周壁の内周下部には、位置決め部材が当接する当接部が形成されていることを特徴とする構成を採用する。
【発明の効果】
【０００９】
本発明の計量塗布容器は、容器本体と、基端部と付勢部材と塗布部とを具えた栓部材と、栓部材の上部に上下動可能に装着される計量キャップと、オーバーキャップとからなり、従来に比べて部材数を減らすことができた。
【００１０】
また、付勢部材が弾性変形するので、栓部材の塗布部を塗布する箇所に当接した際に、塗布面への衝撃を和らげることができるようになった。
【図面の簡単な説明】
【００１１】
【図１】本発明の計量塗布容器の側断面図である。
【図２】栓部材の説明図で、（ａ）は上面図、（ｂ）は側断面図、（ｃ）は下面図である。
【図３】計量キャップの説明図で、（ａ）は側断面図、（ｂ）は下面図である。
【図４】オーバーキャップを外した後の側断面図である。
【図５】計量塗布容器を使用するときの説明図で、容器を倒立し、計量するときの側断面図である。
【図６】栓部材の塗布部を塗布する箇所に押当てたときの側断面図である。
【図７】栓部材の塗布部を塗布する箇所から離したときの側断面図である。
【発明を実施するための形態】
【００１２】
次に、本発明の計量塗布容器について、図面を参照して説明する。
図１において、Ａは内容液が充填される容器本体、Ｂは容器本体Ａの口部に装着される栓部材、Ｃは栓部材Ｂの上部に上下動可能に装着される計量キャップ、Ｄは栓部材Ｂおよび計量キャップＣを覆蓋するオーバーキャップである。
【００１３】
図１に示すように、容器本体Ａは、口筒部１と肩部２を具えており、口筒部１の外周には、オーバーキャップＤを螺着するねじ３が設けられ、また、口筒部１の外周上端部には、栓部材Ｂを装着する装着部４が設けられている。
【００１４】
図１、２に示すように、栓部材Ｂは、容器本体Ａの口筒部１の上部に装着されるとともに、計量キャップＣの上下動を案内する基端部Ｂ１と、基端部Ｂ１の内側上部に弾性変形可能な薄肉でドーム状に形成される付勢部材Ｂ２と、付勢部材Ｂ２の中央上部に立設される塗布部Ｂ３とを具えている。
【００１５】
基端部Ｂ１は、リング状の上壁１０と、上壁１０の外縁に垂設される外周壁１１と、上壁１０の下面に垂設される内筒１２と、上壁１０の内縁に立設される内周壁１３と、上壁１０の上面に内周壁１３との間に一定の間隔を置いて立設され、内周壁１３より高く形成される案内筒１４とを具えており、内周壁１３の上端に付勢部材Ｂ２の外縁下端が連設されている。
【００１６】
外周壁１１には、内周が容器本体Ａの口筒部１の装着部４と嵌合する嵌合部１５が設けられ、外周壁１１内周と内筒１２外周とで容器本体Ａの口筒部１を挟持するようになっている。
【００１７】
内周壁１３の下端部には、上壁１０の内縁付近から穿設され、内周壁１３の内外を貫いて流路を形成する流通孔１６が配設され、また、その他の内周壁１３の外周には、計量キャップＣの下端位置を決める位置決め部材１７が配設されている。
【００１８】
案内筒１４の内周上部には、計量キャップＣの上下動を案内する案内部１８が凹設されている。
【００１９】
塗布部Ｂ３は、付勢部材Ｂ２の中央上部に立設される栓体部１９からなっており、栓体部１９の外周上部の所定の範囲には、流路部２０が凹設され、また、外周の流路部２０より上部は上栓部１９ａとなり、流路部２０より下部は下栓部１９ｂとなっている。
【００２０】
図１、３に示すように、計量キャップＣは、外周が基端部Ｂ１の案内筒１４内周に挿入され上下に摺動する外周壁２５と、外周壁２５の内周に連設され、下面が付勢部材Ｂ２の外縁部上面に係合する形状に形成されるリング状の連結壁２６と、連結壁２６内縁から立設され、上部が内方に向かって湾曲する計量壁２７と、計量壁２７の上端内縁に立設される吐出筒２８と、吐出筒２８内周下端に形成され、内周が塗布部Ｂ３の栓体部１９外周と係合する栓壁２９とを具えている。
【００２１】
外周壁２５の外周には、案内突部３０が配設され、案内突部３０が、基端部Ｂ１の案内筒１４内周の案内部１８内で上下動することによって、計量キャップＣの上下動が規制されている。
【００２２】
外周壁２５の内周には、下端から当接部３１が凹設され、連結壁２６下方を栓面２５ａとし、栓面２５ａの下端から当接部３１の上端部の間に当接部３１より浅い深さの流路溝３２が複数凹設されている。
【００２３】
吐出筒２８の外周上端部には、係合突部３３が突設されている。
【００２４】
図１に示すように、オーバーキャップＤは、外キャップ部Ｄ１と、外キャップ部Ｄ１内方に装着される内キャップ部Ｄ２とからなっている。
【００２５】
外キャップ部Ｄ１は、天壁３５と、天壁３５の外縁から垂設され、装着時に下端が容器本体Ａの肩部２外縁まで覆う外周壁３６とを具えている。
【００２６】
内キャップ部Ｄ２は、上面が天壁３５下面に当接する天壁３７と、天壁３７の外縁から垂設され、計量キャップＣと栓部材Ｂと容器本体Ａの口筒部１外周を覆う装着壁部３８と、天壁３７の下面に垂設される係合筒３９と、装着壁部３８の下端外縁に連設され、外縁が外周壁３６内周に当接される下壁４０とからなっている。
【００２７】
装着壁部３８の下部には、容器本体Ａの口筒部１のねじ３と螺合するねじ部４１が設けられている。
【００２８】
係合筒３９は、内周下端に、内側が計量キャップＣの吐出筒２８の係合突部３３と嵌合する係合突部４２が突設され、内周上部には、閉蓋時に吐出筒２８の上端に当接し、計量キャップＣ全体を下方に下げる当接リブ４３が配設されている。
【００２９】
次に、本実施例の計量塗布容器の使用態様と作用効果について説明する。
計量塗布容器の組立後、オーバーキャップＤを閉蓋時には、図１に示すように、オーバーキャップＤの係合筒３９内周下部に計量キャップＣの吐出筒２８外周上部が嵌入するとともに、係合筒３９の当接リブ４３が吐出筒２８の上端に当接し、計量キャップＣを栓部材Ｂに対して押し下げている。
【００３０】
また、計量キャップＣの外周壁２５の下端の当接部３１の上端部に、栓部材Ｂの基端部Ｂ１の内周壁１３の位置決め部材１７の上端面が当接することにより、計量キャップＣが栓部材Ｂに対して定位置以上に下降することを阻止し、計量キャップＣの連結壁２６下面が栓部材Ｂの付勢部材Ｂ２の外縁を押し下げることを阻止している。
【００３１】
その際、計量キャップＣの外周壁２５の内周の栓面２５ａが、栓部材Ｂの基端部Ｂ１の内周壁１３の上部外周に係合し、また、外周壁２５の外周が、案内筒１４の内周に係合することによって、内周壁１３の流通孔１６からの液の流路を封鎖している。
また、栓部材Ｂの塗布部Ｂ３の栓体部１９外周の下栓部１９ｂの位置に、計量キャップＣの栓壁２９内周が当接し、液の流路を閉鎖している。  
【００３２】
計量キャップＣの計量壁２７内周と、栓部材Ｂの塗布部Ｂ３外周と付勢部材Ｂ２上面との空間は、計量室ａとなっている。
【００３３】
オーバーキャップＤの開蓋時には、内キャップ部Ｄ２の係合筒３９の係合突部４２上部と、計量キャップＣの吐出筒２８の係合突部３３下部との嵌合により、オーバーキャップＤの上昇に伴い、計量キャップＣを上方に引張り、栓部材Ｂに対して上方に上昇させていく。
【００３４】
計量キャップＣが栓部材Ｂに対して上昇していくと、最後は、計量キャップＣの外周壁２５外周の案内突部３０上部が栓部材Ｂの基端部Ｂ１の案内筒１４の案内部１８の上端部に当接し、計量キャップＣの上昇が阻止される。
そして、オーバーキャップＤの内キャップ部Ｄ２の係合筒３９の係合突部４２上部と、計量キャップＣの吐出筒２８の係合突部３３下部との嵌合が外され、図４に示すように、計量キャップＣが上昇位置に移動した計量塗布容器から、オーバーキャップＤが開蓋される。
【００３５】
その際、計量キャップＣの外周壁２５の下部内周と、栓部材Ｂの基端部Ｂ１の内周壁１３の上部外周との係合が外されるとともに、間に隙間ができ、計量キャップＣの当接部３１および流路溝３２とを介して内周壁１３の流通孔１６からの液の流路が開設される。
また、栓部材Ｂの塗布部Ｂ３の栓体部１９外周の上栓部１９ａの位置に、計量キャップＣの栓壁２９内周が当接し、液の流路を閉鎖している。
【００３６】
オーバーキャップＤを外した計量塗布容器の使用にあたっては、まず、図５に示すように、計量塗布容器全体を倒立させ、容器本体Ａ内の内容液を、栓部材Ｂの内周壁１３の流通孔１６から計量キャップＣの当接部３１および流路溝３２との隙間を介して計量室ａ内およびその上方の空間に流入させ、充填させる。
【００３７】
次に、内容液を塗布する箇所に、計量キャップＣの吐出筒２８の先端を押付けていく。
【００３８】
吐出筒２８の先端を塗布する箇所に押付けていくと、計量キャップＣが栓部材Ｂに対して後退していくとともに、計量室ａより上方の内容液が計量キャップＣの流路溝３２を介して流通孔１６から容器本体Ａ内に戻されていく。
このことにより、計量室ａで計量した内容液を使用することができる。
【００３９】
また、計量キャップＣが栓部材Ｂに対して後退していくと、栓部材Ｂの塗布部Ｂ３の先端部が計量キャップＣの吐出筒２８の先端部より外方に突出していき、塗布部Ｂ３の先端部が塗布する箇所に当接し、塗布部Ｂ３が押付けられていく。
【００４０】
塗布部Ｂ３が押付けられると、連設した付勢部材Ｂ２が変形し、塗布部Ｂ３が基端部Ｂ１に対して後退していく。
【００４１】
最後は、図６に示すように、計量キャップＣの外周壁２５の当接部３１の端部に栓部材Ｂの基端部Ｂ１の内周壁１３の位置決め部材１７の端面が当接し、計量キャップＣの栓部材Ｂに対しての後退が止められる。
【００４２】
その際、計量キャップＣの外周壁２５の内周の栓面２５ａが、栓部材Ｂの基端部Ｂ１の内周壁１３の外周の内周に係合し、内周壁１３の流通孔１６からの液の流路を封鎖する。
【００４３】
また、栓部材Ｂの塗布部Ｂ３の栓体部１９外周の流路部２０の位置に、計量キャップＣの栓壁２９内周が位置し、流路部２０を介して液の流路が開設され、該流路を介して計量室ａ内の内容液が流出し、塗布する箇所に塗布部Ｂ３の先端部を使い塗布することができる。
【００４４】
塗布する箇所への吐出筒２８の先端および塗布部Ｂ３の先端の押付けを止め、計量塗布容器を離すと、付勢部材Ｂ２の復元力により、塗布部Ｂ３が押戻され、図７に示すように、塗布部Ｂ３の先端部が計量キャップＣの吐出筒２８の先端部より外方に突出していく。
【００４５】
その際、計量キャップＣの栓壁２９内周の位置に、塗布部Ｂ３の栓体部１９外周の下栓部１９ｂが位置し、液の流路が封鎖され、計量室ａ内の内容液の流出を防止することができる。
【００４６】
再度、塗布部Ｂ３の先端を塗布する箇所へ押付けることにより、塗布部Ｂ３の流路部２０の位置に、計量キャップＣの栓壁２９内周が位置し、流路部２０を介して液の流路が開設され、計量室ａ内の残った内容液を最後まで塗布することができる。
【００４７】
塗布部Ｂ３は、塗布する箇所に当接される際には、付勢部材Ｂ２の変形による弾性により押戻し力が働き、塗布する箇所への衝撃を和らげることができる。
【００４８】
計量塗布容器を再度使用する際には、容器を正立に戻し、オーバーキャップＤを閉蓋した後、開蓋するか、または、計量キャップＣの吐出筒２８を手指等で把持し、計量キャップＣを栓部材Ｂに対して上方に持ち上げた後、いずれの場合でも再度倒立させて計量室ａ内に内容液を流入させて計量し、使用することができ、内容液を最後まで使用することができる。
【００４９】
上記実施形態では、容器本体Ａの口筒部１の外周とオーバーキャップＤの内キャップ部Ｄ２の内周とを螺合させ装着させているが、口筒部１の外周に突部を設け、オーバーキャップＤの内周に凹部を設け、嵌合して装着させるようにしてもよい。
また、上記実施形態では、オーバーキャップＤを外キャップ部Ｄ１と内キャップ部Ｄ２とから形成しているが、別に、内周下部が計量キャップＣの吐出筒２８の外周上部と嵌合する係合筒と、頂壁と、内周下部が容器本体Ａの外周に装着される外周壁があれば、オーバーキャップの構成はどのようなものでもよく、例えば、内キャップ部だけであってもよい。
したがって、容器本体ＡとオーバーキャップＤの装着の構成、オーバーキャップＤの構成は、上記実施形態の形態に限定されない。
【産業上の利用可能性】
【００５０】
本発明の計量塗布容器は、内容液が充填される容器本体と、容器本体の口部に装着される栓部材と、栓部材の上部に上下動可能に装着される計量キャップと、オーバーキャップとからなる計量塗布容器において、計量キャップの上下動により、内容液を計量し、最後まで正確に計量した分の内容液を栓部材の塗布部により塗布面に塗布することができ、構造的にも簡単なものにすることができるようになった。
また、栓部材の付勢部材の弾性変形により塗布部が弾性的に上下動するので、塗布面への衝撃を和らげることができるようになった。
本発明の計量塗布容器は、育毛剤、その他の薬品や化粧品等の計量塗布容器として広く利用することができる。
【符号の説明】
【００５１】
Ａ        容器本体
Ｂ        栓部材
Ｂ１      基端部
Ｂ２      付勢部材
Ｂ３      塗布部
Ｃ        計量キャップ
Ｄ        オーバーキャップ
Ｄ１      外キャップ部
Ｄ２      内キャップ部
ａ        計量室
１        口筒部
２        肩部
３        ねじ
４        装着部
１０        上壁
１１、２５、３６  外周壁
１２        内筒
１３        内周壁
１４        案内筒
１５        嵌合部
１６        流通孔
１７        位置決め部材
１８        案内部
１９        栓体部
１９ａ      上栓部
１９ｂ      下栓部
２０        流路部
２５ａ      栓面
２６        連結壁
２７        計量壁
２８        吐出筒
２９        栓壁
３０        案内突部
３１        当接部
３２        流路溝
３３、４２  係合突部
３５、３７  天壁
３８        装着壁部
３９        係合筒
４０        下壁
４１        ねじ部
４３        当接リブ
【図１】
2015067347.tif 000003
【図２】
2015067347.tif 000004
【図３】
2015067347.tif 000005
【図４】
2015067347.tif 000006
【図５】
2015067347.tif 000007
【図６】
2015067347.tif 000008
【図７】
2015067347.tif 000009